(57)【要約】【課題】間伐材を、魚類、藻類の魚礁に利用する。【解決手段】魚礁１１は、複数のユニット１２を上下に重ねて連結部材１３によって連結して構成される。各ユニット１２は、たとえばコンクリートから成る一対の支持体１４と、これらの一対の支持体１４に固定される間伐材から成る支持部材１５とを含む。支持体１４は、細長い連結部１６と、その連結部１６の両端部から下方に突出する一対の脚部１７とを有する。支持体１４は、連結部１６の長手方向に垂直に間隔をあけて平行に配置される。支持部材１５は、連結部１６間に掛け渡される。各ユニット１２の上下に脚部１７が積み重ねられ、各ユニット１２は、上下に延びる軸線１９まわりに９０度ずれて配置される。【選択図】      図１
2004337024.tif 000002
【特許請求の範囲】
【請求項１】
（ａ）複数のユニットであって、各ユニットは、
（ａ１）細長い連結部の両端部に脚部を有し、連結部の長手方向に垂直に間隔をあけて平行に配置される一対の支持体と、
（ａ２）支持体の連結部間に掛け渡され、水中生物を蝟集して支持する材料から成る細長い支持部材とを含み、
（ａ３）各ユニットは、上下に、各ユニット毎の連結部が、上下に延びる軸線まわりに９０度ずれて、配置され、
各支持体の両脚部が積み重ねられるユニットと、
（ｂ）ユニットを上下に連結する連結部材とを含むことを特徴とする魚礁。
【請求項２】
各支持体の脚部が上下に積み重ねられ、
連結部材は、上下の脚部を連結することを特徴とする請求項１記載の魚礁。
【請求項３】
支持体は、その連結部の両端部間に設けられる１または複数の中間脚部を有し、
各支持体の中間脚部が積み重ねられることを特徴とする請求項１記載の魚礁。
【請求項４】
連結部材は、
上下の両端部におねじが刻設されたねじ棒と、
積み重ねられた支持体の最下部の脚部の上部に埋設され、連結部材の下部のおねじが螺合する第１ナットと、
積み重ねられた支持体の最上部の脚部の上部で、連結部材の上部のおねじに、螺合する第２ナットとを含むことを特徴とする請求項１〜３のうちの１つに記載の魚礁。
【請求項５】
連結部材は、
上下に隣接して積み重ねられた支持体のうち、上方の支持体の脚部の下部に固定され、連結用ボルトが挿通するボルト挿通孔を有するフランジ部材と、
下方の支持体の脚部の上部に埋設され、前記連結用ボルトが螺合する第３ナットとをさらに含むことを特徴とする請求項４記載の魚礁。
【請求項６】
積み重ねられた支持体のうち、最上部の支持体の脚部の上部には、上方に突出した逆Ｕ字状の吊り具が固定されることを特徴とする請求項１〜５のうちの１つに記載の魚礁。
【請求項７】
支持体の連結部の軸線に直角な縦断面は、矩形であり、
脚部の軸線に直角な横断面は、
連結部の外側面２４と面一に連なる外側面２５と、
脚部の外側面と直角である端面２６と、
端面と直角であって脚部の外側面と平行な内側面２７と、
脚部の内側面に連なり、連結部の内側面に連なる内傾斜面３１と、
連結部の下方で連結部の端面と平行であり、もう１つの脚部に臨む対向面３４とを有する５角形であり、
連結部の下面３３から、脚部の対向面３４に向かって、連結部の長手方向外方になるにつれて、下方に連なる下傾斜面３５を有する補強部３６を含むことを特徴とする請求項１〜６のうちの１つに記載の魚礁。
【請求項８】
支持体は、コンクリート製であり、
支持部材は、木材から成ることを特徴とする請求項１〜７のうちの１つに記載の魚礁。
【請求項９】
支持部材の軸線に直角な断面は、ほぼ円形であり、支持体の連結部の長手方向に隣接する支持部材間の間隔Ｌ１は、支持部材の外径Ｄ１の約１／２であることを特徴とする請求項８記載の魚礁。
【請求項１０】
支持体の連結部には、その連結部の上方に臨んで、かつ連結部の長手方向に間隔をあけて、複数の第４ナットが埋設され、
支持部材の長手方向両端部には、支持部材固定用ボルトが挿通するボルト挿通孔が形成され、
この支持部材固定用ボルトが、第４ナットに螺合して支持部材の両端部が連結部に固定されることを特徴とする請求項１〜９のうちの１つに記載の魚礁。
【請求項１１】
細長い連結部の両端部に脚部を有する魚礁用支持体であって、
一対の魚礁用支持体が、連結部の長手方向に垂直に間隔をあけて平行に配置され、
支持体の連結部間に水中生物を蝟集して支持する材料から成る細長い支持部材が掛け渡されて、ユニットが構成され、
各ユニットが、上下に、各ユニット毎の連結部が上下に延びる軸線まわりに９０度ずれて、配置され、各支持体の両脚部が積み重ねられることを特徴とする魚礁用支持体。
【発明の詳細な説明】
【０００１】
【発明の属する技術分野】
本発明は、海、沼、湖、川などの水中の底に沈めて使用される魚礁に関する。
【０００２】
【従来の技術】
典型的な先行技術は、コンクリート製または鋼製の魚礁であり、その内部空間は、疎である。したがって餌生物が存在しにくく、魚礁効果が優れているとは言い難い。
【０００３】
近年、間伐材が充分に利用されず、廃棄されている。森林で樹木が成長するにつれて各樹木間のせりあいが激しくなり、これによって樹木の肥大成長が落ちる現象を防ぐために、せりあいを和らげて、残った樹木を健全に育てるために、樹木の一部を切り、残った樹木に陽光と空間を与えるために、劣勢な樹木などを切る作業によって、間伐材が得られる。間伐材は、その生産量に比べて、使用量が少ない。或る先行技術の魚礁は、間伐材のみで空間が形成されており、したがって間伐材の劣化後は、魚礁機能を失う。
【０００４】
【発明が解決しようとする課題】
本発明は、魚類に好ましい環境を提供し、間伐材などを有効に利用することができ、間伐材などが劣化した後にも、魚礁機能を保持することができるようにした魚礁を提供することである。
【０００５】
【課題を解決するための手段】
本発明は、（ａ）複数のユニットであって、各ユニットは、
（ａ１）細長い連結部の両端部に脚部を有し、連結部の長手方向に垂直に間隔をあけて平行に配置される一対の支持体と、
（ａ２）支持体の連結部間に掛け渡され、水中生物を蝟集して支持する材料から成る細長い支持部材とを含み、
（ａ３）各ユニットは、上下に、各ユニット毎の連結部が、上下に延びる軸線まわりに９０度ずれて、配置され、
各支持体の両脚部が積み重ねられるユニットと、
（ｂ）ユニットを上下に連結する連結部材とを含むことを特徴とする魚礁である。
【０００６】
また本発明は、各支持体の脚部が上下に積み重ねられ、
連結部材は、上下の脚部を連結することを特徴とする。
【０００７】
また本発明は、細長い連結部の両端部に脚部を有する魚礁用支持体であって、一対の魚礁用支持体が、連結部の長手方向に垂直に間隔をあけて平行に配置され、
支持体の連結部間に水中生物を蝟集して支持する材料から成る細長い支持部材が掛け渡されて、ユニットが構成され、
各ユニットが、上下に、各ユニット毎の連結部が上下に延びる軸線まわりに９０度ずれて、配置され、各支持体の両脚部が積み重ねられることを特徴とする魚礁用支持体である。
【０００８】
本発明に従えば、魚礁は、複数のユニットを上下に重ねて連結部材によって連結して構成され、各ユニットは、たとえばコンクリート、高炉スラグ、鉄などの金属などの材料から成る一対の支持体と、これらの一対の支持体に固定される間伐材などから成る支持部材とを含む。支持体は、細長い連結部と、その連結部の両端部に下方に吐出して延びる一対の脚部とを有し、こうして構成される支持体は、連結部の長手方向に垂直に間隔をあけて平行に配置される。支持部材は、細長く形成され、連結部間に掛け渡される。支持部材は、水中生物、たとえば魚類、海藻などの水中生物を蝟集して支持する材料から成り、前述のように間伐材などの木材が好適して用いられる。支持体は、間伐材および海水などの水に比べて大きい比重を有し、したがって本件魚礁を、水中に安定して設置することができる。
【０００９】
こうして構成される各ユニットは、上下に脚部で積み重ねられ、各ユニットは、上下に延びる軸線１９まわりに９０度ずれて配置される。これによって支持部材に比べて強度が大きい支持体が枠体を構成し、強度が向上されることになる。さらにユニットを３以上、上下に積み重ねて魚礁を構成するようにしてもよい。支持体と支持部材とは、前述の種類の材料だけでなく、そのほかの材料から成ってもよい。
【００１０】
魚礁は、たとえば海水中で用いられる場合、たとえば３０〜４０ｍの海底に配置され、平面形状は、図３に示されるようにたとえば縦Ｌ１１＝２３００ｍｍ×横Ｌ１２＝２３００ｍｍであり、図４に示されるように各ユニット２の高さＨ１１＝５００ｍｍであり、したがって上下に４つ積み重ねられた魚礁の合計の高さＨ１２＝２０００ｍｍであってもよく、そのほかの寸法形状を選ぶことができる。
【００１１】
また本発明は、支持体は、その連結部の両端部間に設けられる１または複数の中間脚部を有し、
各支持体の中間脚部が積み重ねられることを特徴とする。
【００１２】
本発明に従えば、複数の各ユニットを構成する支持体をさらに長く構成し、その支持体の連結部の長手方向の両端部間に、１または複数の中間脚部を設け、各支持体の中間脚部を上下に積み重ねて、枠体を構成するようにしてもよい。これによって大形の魚礁を構成することができる。
【００１３】
また本発明は、連結部材は、
上下の両端部におねじが刻設されたねじ棒と、
積み重ねられた支持体の最下部の脚部の上部に埋設され、連結部材の下部のおねじが螺合する第１ナットと、
積み重ねられた支持体の最上部の脚部の上部で、連結部材の上部のおねじに、螺合する第２ナットとを含むことを特徴とする。
【００１４】
また本発明は、連結部材は、
上下に隣接して積み重ねられた支持体のうち、上方の支持体の脚部の下部に固定され、連結用ボルトが挿通するボルト挿通孔を有するフランジ部材と、
下方の支持体の脚部の上部に埋設され、前記連結用ボルトが螺合する第３ナットとをさらに含むことを特徴とする。
【００１５】
本発明に従えば、上下に積み重ねられたユニットを構成する支持体の最下部の第１ナットと最上部の第２ナットとに長手方向両端部におねじが刻設された、たとえばねじ棒、または通しボルトなどによって実現される連結部材が螺合し、上下に積み重ねられた複数の支持体を連結して固定することができる。
【００１６】
さらに上下に隣接する支持体の脚部を、連結用ボルトと第３ナットとの組合せを用いて連結し、上下に積み重ねられる支持体を、さらに強固に固定することができる。このような連結用ボルトと第３ナットとの組合せを用いることによって、各支持体の脚部にねじ棒、または通しボルトなどの連結部材を挿通するボルト挿通孔を、複数本形成することなく、上下の支持体の固定強度を向上することができるとともに、支持体の脚部にボルト挿通孔が複数本形成されることによる脚部の強度の低下を抑えることができる。
【００１７】
また本発明は、積み重ねられた支持体のうち、最上部の支持体の脚部の上部には、上方に突出した逆Ｕ字状の吊り具が固定されることを特徴とする。
【００１８】
本発明に従えば、魚礁を構成する最上部の支持体の脚部の上部には、吊り具が固定され、これによって魚礁をクレーンなどで吊り下げて運搬し、海底などの水中に設置する作業を、容易に行うことができる。吊り具は、脚部に設けられ、これによって上下に積み重ねられたユニットを、損傷することなく、運搬することが可能となる。
【００１９】
また本発明は、支持体の連結部の軸線に直角な縦断面は、矩形であり、
脚部の軸線に直角な横断面は、
連結部の外側面２４と面一に連なる外側面２５と、
脚部の外側面と直角である端面２６と、
端面と直角であって脚部の外側面と平行な内側面２７と、
脚部の内側面に連なり、連結部の内側面に連なる内傾斜面３１と、
連結部の下方で連結部の端面と平行であり、もう１つの脚部に臨む対向面３４とを有する５角形であり、
連結部の下面３３から、脚部の対向面３４に向かって、連結部の長手方向外方になるにつれて、下方に連なる下傾斜面３５を有する補強部３６を含むことを特徴とする。
【００２０】
本発明に従えば、支持体を構成する連結部の軸直角断面は矩形であり、脚部の軸直角断面は外側面と内側面と内傾斜面と対向面とから成る５角形であり、補強部によって、連結部と脚部との強度が向上される。このような支持体は、連結部の長手方向の軸線中央位置を通る対称面に関して面対称に構成されてもよい。
【００２１】
また本発明は、支持体は、コンクリート製であり、
支持部材は、木材から成ることを特徴とする。
【００２２】
本発明に従えば、コンクリート製支持体と間伐材などの木材から成る支持部材とによって各ユニットを構成し、これによって水中生物である魚類、海藻などの蝟集効果に優れた木材によって、好適な環境を提供することができる。またコンクリートは、水中生物の蝟集効果が、木材に近似して優れており、したがって木材から成る支持部材が支持体から離脱したとしても、魚礁としての働きが維持される。
【００２３】
また本発明は、支持部材の軸線に直角な断面は、ほぼ円形であり、支持体の連結部の長手方向に隣接する支持部材間の間隔Ｌ１は、支持部材の外径Ｄ１の約１／２であることを特徴とする。
【００２４】
本発明に従えば、魚礁としての魚類、海藻などの水中生物に好適な環境を提供するために、支持部材間の間隔Ｌ１を、支持部材の外径Ｄ１の約１／２に選び（Ｌ１≒Ｄ１／２）、これによって海水が流れる際、下流側に海水が滞留しやすく、穏やかな環境が提供される。間隔Ｌ１は、Ｄ１／２に比べて、小さすぎても、大きすぎても、海水の流れの下流に海水が滞留しにくくなり、好適な環境が実現されない。こうして本発明の魚礁は、魚類に好適な環境を提供することができるとともに、藻類着生機能を高めることができ、魚礁の役目が上首尾に達成される。
【００２５】
また本発明は、支持体の連結部には、その連結部の上方に臨んで、かつ連結部の長手方向に間隔をあけて、複数の第４ナットが埋設され、
支持部材の長手方向両端部には、支持部材固定用ボルトが挿通するボルト挿通孔が形成され、
この支持部材固定用ボルトが、第４ナットに螺合して支持部材の両端部が連結部に固定されることを特徴とする。
【００２６】
本発明に従えば、支持部材を支持体の連結部に連結することを容易にするために、この支持部材の両端部に形成されるボルト挿通孔に、支持部材固定用ボルトを挿通し、連結部に設けられた複数の各第４ナットに螺着する。こうして多量に生産される間伐材を、できるだけ少ない作業工程で、加工して魚礁を製造することができるようになる。
【００２７】
【発明の実施の形態】
図１は、本発明の実施の一形態の魚礁１１の斜視図である。この魚礁１１は、たとえば深さ３０〜４０ｍの海底に設置され、魚類および海藻などの水中生物の蝟集効果を達成する。魚礁１１は基本的に、複数（たとえばこの実施の形態では４）のユニット１２ａ〜１２ｄが、上下に積み重ねられ、連結部材１３によって連結された構成を有する。参照符の数字に添え字ａ，ａ１，ａ２；…；ｄ，ｄ１，ｄ２などを付して個別的に示し、総括的にはこれらの添え字を用いずに示すことがある。添え字ａ，ａ１，ａ２；…；ｄ，ｄ１，ｄ２は、上下に積み重ねられたユニット１２ａ〜１２ｄの下から上に順にアルファベットの順序で付される。各ユニット１２は、たとえばコンクリートから成る一対の支持体１４と、魚類、海藻などの水中生物を蝟集して支持する材料、たとえば杉、松などの間伐材から成る１または複数（たとえばこの実施の形態では６）の細長い支持部材１５とを含む。
【００２８】
図２は、ユニット１２を構成する支持体１４を示す斜視図である。各ユニット１２を構成する一対の支持体１４は、ほぼ水平な細長い連結部１６の両端部に、下方に延びる脚部１７をそれぞれ有する。各支持体１４は、連結部１６の長手方向に垂直に間隔をあけて、平行に配置される。たとえば最下部のユニット１２ａを構成する一対の支持体１４ａ１，１４ａ２は、各連結部１６ａ１，１６ａ２の長手方向すなわち軸線方向に垂直に間隔をあけて配置され、これらの連結部１６ａ１，１６ａ２の長手方向は、相互に平行である。下から２段目の中間部のユニット１２ｂを構成する一対の支持体１４ｂ１，１４ｂ２は、それらの連結部１６ｂ１，１６ｂ２の長手方向に垂直に間隔をあけて配置され、これらの連結部１６ｂ１，１６ｂ２の長手方向は相互に平行である。
【００２９】
図３は図１および図２に示される魚礁１１の平面図であり、図４は魚礁１１の図１および図２における右方から見た正面図である。上下に隣接して積み重ねられる各ユニット１２ａ，１２ｂは、魚礁１１の上下に延びる軸線１９まわりに、各連結部１６ａ１，１６ａ２；１６ｂ１，１６ｂ２が、９０度ずれて、配置される。各支持体１４ａ１，１４ｂ２の両脚部１７ａ１１，１７ａ１２；１７ａ２１，１７ａ２２：１７ｂ１１，１７ｂ１２；１７ｂ２２，１７ｂ２２が、それぞれ上下に積み重ねられる。このようなユニット１２ａ，１２ｂに関する構成は、ユニット１２ｂ，１２ｃに関する構成、およびユニット１２ｃ，１２ｄに関する構成においても、同様である。
【００３０】
図５は魚礁１１の最下部のユニット１２ａ１の正面図であり、図６は支持体１４ａ１の平面図であり、図７は支持体１４ａ１の右側面図であり、図８は図５および図６の切断面線Ｃ−Ｃ１から見た断面図である。支持体１４ａ１の連結部１６ａ１の軸線２１に直角な縦断面は、特に図８から明らかなように矩形であり、たとえばこの実施の形態では縦長の長方形である。脚部１７ａ１１の軸線２２に直角な横断面は、特に図６から明らかなように５角形である。この脚部１７ａ１１は、連結部１６ａ１の外側面２４と面一に連なる外側面２５と、脚部１７ａ１１の外側面２５と直角である端面２６と、端面２６と直角であって脚部１７ａ１１の外側面２５と平行な内側面２７と、脚部１７ａ１１の内側面２７に連なり、連結部１６ａ１の内側面２８に連なる内傾斜面３１と、脚部１７ａ１１の連結部１６ａ１の下面３３よりも下方で、もう１つの脚部１７ａ１２に臨む対向面３４とを有する。
【００３１】
連結部１６と脚部１７とを連結する隅部には、下傾斜面３５を有する補強部３６が形成される。補強部３６は、連結部１６ａ１の下面３３から、脚部１７ａ１１の対向面３４に向かって、連結部１６ａ１の長手方向外方（一方の脚部１７ａ１１の図５および図６における左方、他方の脚部１７ａ１２の図５および図６における右方）になるにつれて、下方に連なる下傾斜面３５を有する。
【００３２】
脚部１７ａ１１の上面３８と下面３９とは、脚部１７ａ１１の軸線２２に垂直である。対向面３４は、脚部１７ａ１１の軸線２２に平行であってもよいが、図６に明らかに示されるように、補強部３６の下傾斜面３５よりも小さい角度で軸線２２に交差するように、わずかに傾斜されてもよい。脚部１７ａ１１の軸線２２は、連結部１６ａ１の軸線２１に垂直な一仮想平面内に存在する。この軸線２２は、脚部１７ａ１１の軸線２２に垂直な横断面の図心を通る。連結部１６ａ１の上面４１は、脚部１７ａ１１の上面３８と平行であって、この脚部１７ａ１１の上面３８よりもわずかな距離ΔＨ１だけ隆起されている。このような支持体１４ａ１は、連結部１６ａ１の軸線２１に垂直な対称面３７に関して面対称に構成される。
【００３３】
脚部１７ａ１１には、連結部材１３を構成する第１ナット４３が、積み重ねられた支持体１４のうち、最下部の支持体１４ａ１の脚部１７ａ１１の上部に埋設される。この第１ナット４３の軸線は、脚部１７ａ１１の軸線２２と一仮想平面内で平行である。支持体１４ａ１の連結部１６ａ１には、その連結部１６ａ１の上方に臨んで連結部１６ａ１の長手方向、したがって軸線２１に沿って間隔をあけて複数（たとえばこの実施の形態では６）の第３ナット４４が埋設される。これらの第３ナット４４の各軸線は、脚部１７ａ１１の軸線２２に垂直な一仮想平面にそれぞれ垂直である。脚部１７ａ１１にはまた、上方に臨んで、前述の第３ナット４４と同様な第４ナット４５が埋設される。
【００３４】
脚部１７ａ１１は、図６に示されるように軸線２２を含む対称面４６に関して対称であり、この対称面４６内に、第１および第４ナット４３，４５の各軸線が存在し、連結部１６ａ１の軸線２１とは角度θ１を成す。この実施の形態では角度θ１は、軸線２２に垂直な一仮想平面内で４５度である。もう１つの最下部の支持体１４ａ２もまた、支持体１４ａ１と同様に構成される。
【００３５】
図９は上下に積み重ねられたユニット１２における中間部の支持体１４ｂ１の正面図であり、図１０は図９に示される中間部の支持体１４ｂ１の平面図であり、図１１は中間部の支持体１４ｂ１の右側面図であり、図１２は図９および図１０の切断面線Ｂ−Ｂ１から見た断面図である。この中間部の支持体１４ｂ１は、前述の最下部の支持体１４ａ１の構成に類似し、対応する部分には同一の参照符を付す。中間部の支持体１４ｂ１では、脚部１７ｂ１１において前述の第１ナット４３と同一の位置に軸線を有する連結孔４８が形成される。脚部１７ｂ１１の下部には、内傾斜面３１から内方に臨むフランジ部材５１が固定される。
【００３６】
図１３は、フランジ部材５１とその付近を示す斜視図である。フランジ部材５１は、たとえば鉄などの金属製であり、コンクリート製支持体１４ｂ１に埋め込まれて固定される。このフランジ部材５１は、内傾斜面３１に臨んで開放した有底の全体の外形が直方体状のケーシングであり、そのフランジ部材５１の下部の支持板５２には、取付孔５３が形成され、連結用ボルト５４の軸部が挿通する。この連結用ボルト５４のボルト頭部５５は、フランジ部材５１内の空間に存在し、スパナを掛合して、連結用ボルト５４を、その軸線まわりに角変位することができる。連結用ボルト５４の軸部は、前述のように取付孔５３を挿通し、脚部１７ｂ１１の下方に隣接して配置される脚部１７ａ１１の上面３８に臨む第４ナット４５に螺着されて、上下の支持体１４ａ１，１４ｂ１が取付けられる。中間の支持体１４ｂ２，１４ｃ１，１４ｃ２は、前述の支持体１４ｂ１と同様な構成を有する。
【００３７】
図１４は上下に積み重ねられたユニットの最上部の支持体１４ｄ１の正面図であり、図１５は最上部の支持体１４ｄ１の平面図であり、図１６は最上部の支持体１４ｄ１の右側面図であり、図１７は図１４および図１５の切断面線Ａ−Ａ１から見た断面図である。最上部の支持体１４ｄ１は、前述の最下部の支持体１４ａ１および中間部の支持体１４ｄ１に類似し、対応する部分には同一の参照符を付す。脚部１７ｄ１１には、前述の連結孔４８と同様な連結孔５６が形成され、また前述のフランジ部材５１と同様なフランジ部材５７が脚部１７ｄ１１の下部に固定される。この最上部の支持体１４ｄ１には、前述の第４ナット４５が設けられておらず、省略される。
【００３８】
さらにこの最上部の支持体１４ｂ１１の脚部１７ｄ１１には、上面３８から上方に突出した逆Ｕ字状の吊り具５８が部分的に埋設されて固定される。吊り具５８を、クレーンのフックに掛合するなどして魚礁１１を運搬することが容易である。
【００３９】
図１８は、魚礁１１の上下に積み重ねられたユニット１２の支持体１４ａ１〜１４ｄ１の脚部１７ａ１１〜１７ｄ１１を連結部材１３によって連結した状態を示す簡略化した断面図である。連結部材１３は、上下の両端部におねじが刻設されたねじ棒６１を有し、下部のおねじは、最下部の支持体１４ａ１の第１ナット４３に螺合される。ねじ棒６１は、脚部１７ｂ１１，１７ｃ１１の連結孔４８および脚部１７ｄ１１の連結孔５６を挿通する。最上部の支持体１４ｄ１の脚部１７ｂ１１の上面３８上で、ねじ棒６１のおねじは、第２ナット６２に螺合する。こうして連結部材１３を構成するねじ棒６１と、その両端部のおねじに螺合する第１および第２ナット４３，６２とによって、脚部１７ａ１１，１７ｂ１１，１７ｃ１１，１７ｄ１１が連結されて固定される。このことはそのほかの脚部１７ａ１２〜１７ｄ１２，…に関しても同様である。
【００４０】
図１９は支持部材１５ａを示す斜視図であり、図２０は支持部材１５ａの側面図であり、図２１は支持部材１５ａを支持体１４ａ１の連結部１６ａ１に固定した状態を示す断面図である。連結部材１５ａは、前述のようにたとえば間伐材であり、その軸線に直角な断面は、ほぼ円形であり、たとえば直円柱状である。支持部材１５ａの長手方向両端部６３は半円柱状に切欠かれており、ボルト挿通孔６４は、この端部６３において、支持部材１５の長手軸線を含む平坦な下面６５に垂直に延びる。この下面６５は、連結部１６ａ１の上面４１に当接して支持される。こうして支持部材１５ａは、一対の支持体１４ａ１，１４ａ２の連結部１６ａ１，１６ａ２に掛け渡される。
【００４１】
支持部材固定用ボルト６６は、ボルト挿通孔６４を挿通し、連結部１６に埋設された第３ナット４４に螺合し、こうして支持部材１５ａが連結部１６に固定される。間伐材から成る支持部材１５ａは、樹皮を有していてもよく、樹皮が除去されてもよい。本発明によれば、間伐材を支持部材１５として用い、その間伐材の取扱いを容易にして作業性を向上し、木材の組立てコスト、加工コストを低減することができ、しかも魚類、海藻の蝟集効果、海藻着生機能を向上することができる。支持部材１５ａの上部とその上方に配置される支持体１４の連結部１６の下面３３との間には、隙間が形成され、海中に設置された状態で、水が流過することができる。
【００４２】
図２２は、本発明の実施の他の形態の連結部材１５の一部の斜視図である。この図２２に示される支持部材１５は、その軸線に直角な断面がほぼ矩形である。図２２に示される支持部材１５の両端部もまた、前述の支持部材１５ａと同様に仮想線６８で示されるように切欠かれる。
【００４３】
図２３は、連結部１６に形成された第３ナット４４の配置を示す図である。
連結部１６の上面４１に設けられる第３ナット４４は、相互の間隔は、たとえば図２３に示される１４０ｍｍ、１７５ｍｍ、２３０ｍｍであってもよく、こうして支持部材１５は、たとえば６本、５本、４本、設けられてもよく、さらにそのほかの単一または複数本用いられてもよい。
【００４４】
図２４は、図１〜図２３に示される魚礁１１の組立順序を示す図である。先ず図２４（１）に示されるように、最下部の支持体１４ａ１，１４ａ２の上に、軸線１９（図１参照）のまわりに９０度ずれた下から２段目の支持体１４ｂ１，１４ｂ２を配置する。次に図２４（２）に示されるように、最下部の支持体１４ａ１，１４ａ２間にわたって間伐材である支持部材１５ａを連結して取付ける。
【００４５】
その後、図２４（３）に示されるように、下から２段目の支持体１４ｂ１，１４ｂ２間にわたって支持部材１５ｂを取付ける。
【００４６】
次に図２４（４）に示されるように、下から２段目の支持部材１４ｂ１，１４ｂ２の上に、下から上に順に３段目の支持体１４ｃ１，１４ｃ２を積み重ね、その後、最上部の支持体１４ｄ１，１４ｄ２を、各段毎に軸線１９のまわりに９０度ずつ角変位して組立てる。
【００４７】
そこで図２４（５）に示されるように、第３段目の支持体１４ｃ１，１４ｃ２間に支持部材１５ｃを架け渡して取付ける。その後、図２４（６）に示されるように、最上部の支持体１４ｄ１，１４ｄ２間に支持部材１５ｄを架け渡して取付ける。さらに連結部材１３によって上下の支持体１４を、脚部１７で固定する。連結部材１３による固定は、図２４（４）に示される状態で、行うようにしてもよい。
【００４８】
図２５は、本発明の実施の他の形態の魚礁７１の斜視図である。この実施の形態は、前述の実施の形態に類似し、対応する部分には同一の参照符を付す。注目すべきはこの実施の形態では、最下部と下から２段目の支持体１４ａ１，１４ａ２，１４ｂ１，１４ｂ２には、支持部材１５ａ，１５ｂが取付けられておらず、省略される。
【００４９】
図２６は、本発明の実施の他の形態の魚礁７２の斜視図である。この実施の形態では、前述の実施の形態における最下部のユニット１２ａと最上部のユニット１２ｄとが２段、積み重ねられて構成される。支持部材１５ａ，１５ｄは、各段毎に３本ずつである。
【００５０】
図２７は、図２６に示される魚礁７２に用いられるユニット１２ａ，１２ｄを示す。このような魚礁７２は、構成が簡単であり、本発明の実施が容易である。
【００５１】
図２８は、本発明の実施のさらに他の形態の魚礁７３の斜視図である。魚礁７３は、前述の図１〜図２７の各魚礁１１，７１，７２よりも大形化され、その平面形状は、たとえばこの実施の形態では４倍とされる。この実施の形態は、前述の実施の形態に類似し、対応する部分には同一の参照符を付し、また添え字ｅ〜ｈに代えて、用いることにする。下から上に複数（たとえばこの実施の形態では４）のユニット１２ｅ〜１２ｈが積み重ねられ、前述の実施の形態と同様に連結部材１３によって上下に連結される。
【００５２】
図２９は図２８に示される魚礁７３の支持体１４ｅ〜１４ｈを示す斜視図であり、図３０は最下部の支持体１４ｅの斜視図である。これらのユニット１２ｅ〜１２ｈをそれぞれ構成する支持体１４ｅ〜１４ｈは、同一構成を有し、前述の実施の形態と同様に軸線１９まわりに９０度ずれて上下に隣接して配置される。
【００５３】
図３１は図２８〜図３０に示される魚礁７３の平面図であり、図３２は魚礁３２の正面図であり、図３３は魚礁７３の右側面図である。各ユニット１２ｅ〜１２ｈは、２組の対を成す支持体１４ｅ１，１４ｅ２；１４ｅ３，１４ｅ４：…：１４ｈ１，１４ｈ２；１４ｈ３，１４ｈ４と、それらの対を成す支持体間に架け渡された１または複数（たとえばこの実施の形態では６）の対を成す支持部材１５ｅ１，１５ｅ２；１５ｆ１，１５ｆ２；１５ｇ１，１５ｇ２；１５ｈ１，１５ｈ２が固定される。
【００５４】
図３４は最下部のユニット１２ｅの平面図であり、図３５は最下部のユニット１２ｅの正面図である。支持体１４ｅ１は、前述の実施の形態における支持体１４ａ１を２本、その軸線方向にそのまま連ねた構成を有する。支持体１４ｅ１の長手方向である軸線方向の両端部の脚部１７ｅ１１，１７ｅ１２は、前述の支持体１４ａ１の脚部１７ａ１１，１７ａ１２と同様な構成を有する。支持体１４ｅ１の中間脚部１７ｅ１３は、前述の脚部１７ａ１の端面２６に、脚部１７ａ１２の端面を連ねた構成を有し、この中間脚部１７ｅ１３の軸線に直角な横断面形状は、６角形である。残余の支持体１４ｅ２〜１４ｅ４もまた、支持体１４ｅ１と同様な構成を有し、対応する部分には同一の参照符に添え字ｅ〜ｈに代えて示す。
【００５５】
図３６は２段目のユニット１２ｆの平面図であり、図３７は図３６に示されるユニット１２ｆの正面図である。２段目のユニット１２ｆは、前述の実施の形態におけるユニット１２ｂの支持体１４ｂ１をその軸線方向に脚部１７ｂ１１でそのまま連ねた構成を有する。残余の支持体１４ｆ２〜１４ｆ４もまた、支持体１４ｆ１と同様な構成を有する。ユニット１２ｇは、ユニット１２ｆと同様な構成を有する。
【００５６】
最上部のユニット１２ｈは、前述の実施の形態における最上部のユニット１２ｄに類似した構成を有し、支持体１４ｈ１〜１４ｈ４は、前述の実施の形態における最上部の支持体１４ｄ１をその軸線方向に脚部１７ｄ１１でそのまま連続した構成を有し、そのほかの構成は、前述の実施の形態と同様である。
【００５７】
図３８は本発明の実施の他の形態の魚礁７４の斜視図であり、図３９は、図３８に示される魚礁７４の支持体７５のみを示す斜視図である。この実施の形態では、前述の図３１〜図３７の実施の形態における中間部のユニット１２ｆ，１２ｇと同様なユニットをさらに上下に２段追加して、合計６段の支持体を積み重ねた構成を有する。そのほかの構成は、前述の実施の形態と同様である。
【００５８】
図４０は本発明の実施の他の形態の魚礁７６の斜視図であり、図４１は図４０に示される魚礁７６の支持体７７のみを示す斜視図である。図４０および図４１に示される魚礁７６では、前述の実施の形態におけるユニット１２ｆ，１２ｇと同様な中間部のユニットが合計６段設けられ、合計８段のユニットが用いられる。そのほかの実施の形態は、前述の実施の形態と同様である。
【００５９】
図４２は、前述の図２５の魚礁７１の使用状態を示す断面図である。最上部と上から２段目のユニット１２ｄ，１２ｃにのみ間伐材から成る支持部材１５ｃ，１５ｄが設けられ、これらの支持部材１５ｃ，１５ｄには、海藻７９が植えられており、魚類８１の蝟集効果がさらに高められる。
【００６０】
魚礁１１の上部を支持部材１５の配置密度を高くし、下方のユニットには支持部材１５を設けないようにし、これによって潮通しを良好にする。利用魚種で最も魚価の高いメバルは、上向きに摂餌するので、好都合である。本件魚礁を、藻場を砂浜に造成する場合、最下部の支持体は、脚部１７ａを有し、魚礁１１が滑動することが防止される。各支持体の高さは、たとえば０．５ｍであり、合計２段の支持体が上下に積み重ねられることによって、海底から約１ｍ以上の位置に、支持部材１５が存在し、したがって砂への支持体の埋没が発生しても、支持部材１５が、埋没することを避けることができる。こうして長期間にわたる魚礁１１の蝟集効果を維持することができる。
【００６１】
図４３は、本件発明者の実験結果を示す図である。図１〜図２４の実施の形態において、支持部材１５は杉の間伐材であって、直径２００〜２５０ｍｍφ×長さ５００ｍｍであり、海水中で２４時間にわたって圧力を与え、支持部材１５に海水を浸漬させた。
【００６２】
【表１】
2004337024.tif 000003
【００６３】
図４３に示される上述の実験によれば、本件魚礁１１が海底３０〜４０ｍで使用されるとき、図４３のライン８６，８７に示されるように、比較的短時間で支持部材１５の浮力が減少し、魚礁１１が海底に安定して設置されることが理解される。海水の比重１．０３である。
【００６４】
図４４は、本件発明者の実験による魚礁１１の支持部材１５の生物親和性に関する実験結果を示す図である。図４４における角度は、支持部材１５の軸線の水平に対する角度である。魚礁への魚類蝟集の要因の１つに、魚類の餌となる生物の蝟集がある。餌生物にとって住みやすい環境であることは、魚礁の重要な要素である。杉の間伐材である支持部材１５の付着生物の状況は、本件発明者によれば、図４４のように得られた。図４４では、支持部材１５の材料と海藻の遊走子の着生量を示す。この実験によれば、支持部材およびコンクリートが好ましいことが判る。繊維強化プラスチックＦＲＰは着生量が劣る。前述の実施の形態では、支持体１４はコンクリートから成り、支持部材１５は前述のように間伐材から成るので、本件魚礁１１は、生物親和性に優れている。
【００６５】
図４５は、本件発明者の実験結果による図１〜図２４の魚礁１１における支持部材１５の相互の間隔Ｌ１に対応する交換速度を示す図である。図４５の横軸は、支持部材１５の中心軸線間のピッチＬ２である。図４６は、図４５の実験装置を示す図である。支持部材１５はたとえば間伐材であって、その直径をＤ１とし、各支持部材１５相互間の間隔をＬ１とする。支持部材１５の上流から矢符９１で示すように海水と、染料とを流速ｕで流す。参照符９２は、染料が溜っている容積であって、後流域容積Ｖである。参照符９３は、拡散領域であって、もともと後流域９２に存在した染料がどの程度の容積で域外に出て行くかを測定する。この後流域と域外との交換量をＱとする。交換速度Ｋは、Ｋ＝Ｑ／Ｖで表わされる。交換速度Ｋは、Ｋ値とも呼ばれる。交換速度Ｋは、染料が溜っている容積Ｖに対し、域外に出て行く量Ｑが多くなるほど、大きい値になり、滞留効果が少ないことになる。つまり交換速度Ｋが小さいほど、交換速度が低いことになり、滞留効果が高く、したがって魚礁として有効である。本件発明者の実験によれば、支持部材１５の間隔Ｌ１は、支持部材１５の直径Ｄ１の約１／２において、交換速度Ｋが低く、魚類、海藻に良好な環境を提供することができることが判る。
【００６６】
【表２】
2004337024.tif 000004
【００６７】
前述の魚礁１１，７１〜７４，７６では、図１に示される軸線１９は鉛直方向であるが、本発明の実施の他の形態では、これらの魚礁を横に倒して前述の軸線１９がたとえば水平である姿勢で、用いられてもよい。
【００６８】
【発明の効果】
本発明によれば、海、沼、湖、川などの水中で、魚類および藻類などに好適な環境を提供することができるとともに、近年、利用されずに廃棄されている多量の間伐材を、支持部材として用い、魚礁の構成要素として有効に利用することができるという優れた効果が達成される。また支持部材として間伐材を用いた場合、水中で間伐材が劣化しても、そのような間伐材に比べて劣化しにくい材料、たとえば前述のようにコンクリートなどから成る支持体によって、魚礁機能を、さらに長期間にわたって保持することができる。
【図面の簡単な説明】
【図１】本発明の実施の一形態の魚礁１１の斜視図である。
【図２】各ユニット１２を構成する一対の支持体１４を示す斜視図である。
【図３】図１および図２に示される魚礁１１の平面図である。
【図４】魚礁１１の図１および図２における右方から見た正面図である。
【図５】魚礁１１の最下方のユニット１２ａ１の正面図である。
【図６】支持体１４ａ１の平面図である。
【図７】支持体１４ａ１の右側面図である。
【図８】図５および図６の切断面線Ｃ−Ｃ１から見た断面図である。
【図９】上下に積み重ねられたユニット１２における中間の支持体１４ｂ１の正面図である。
【図１０】図９に示される中間の支持体１４ｂ１の平面図である。
【図１１】中間の支持体１４ｂ１の右側面図である。
【図１２】図９および図１０の切断面線Ｂ−Ｂ１から見た断面図である。
【図１３】フランジ部材５１とその付近を示す斜視図である。
【図１４】上下に積み重ねられたユニットの最上部の支持体１４ｄ１の正面図である。
【図１５】最上部の支持体１４ｄ１の平面図である。
【図１６】最上部の支持体１４ｄ１の右側面図である。
【図１７】図１４および図１５の切断面線Ａ−Ａ１から見た断面図である。
【図１８】魚礁１１の上下に積み重ねられたユニット１２の支持体１４ａ１〜１４ｄ１の脚部１７ａ１１〜１７ｄ１１を連結部材１３によって連結した状態を示す簡略化した断面図である。
【図１９】支持部材１５ａを示す斜視図である。
【図２０】支持部材１５ａの側面図である。
【図２１】支持部材１５ａを支持体１４ａ１の連結部１６ａ１に固定した状態を示す断面図である。
【図２２】本発明の実施の他の形態の連結部材１５の一部の斜視図である。
【図２３】連結部１６に形成された第３ナット４４の配置を示す図である。
【図２４】図１〜図２３に示される魚礁１１の組立順序を示す図である。
【図２５】本発明の実施の他の形態の魚礁７１の斜視図である。
【図２６】本発明の実施の他の形態の魚礁７２の斜視図である。
【図２７】図２６に示される魚礁７２に用いられるユニット１２ａ，１２ｄを示す。
【図２８】本発明の実施のさらに他の形態の魚礁７３の斜視図である。
【図２９】図２８に示される魚礁７３の支持体１４ｅ〜１４ｈを示す斜視図である。
【図３０】最下部の支持体１４ｅの斜視図である。
【図３１】図２８〜図３０に示される魚礁７３の平面図である。
【図３２】魚礁３２の正面図である。
【図３３】魚礁７３の右側面図である。
【図３４】最下部のユニット１２ｅの平面図である。
【図３５】最下部のユニット１２ｅの正面図である。
【図３６】２段目のユニット１２ｆの平面図である。
【図３７】図３６に示されるユニット１２ｆの正面図である。
【図３８】本発明の実施の他の形態の魚礁７４の斜視図である。
【図３９】図３８に示される魚礁７４の支持体７５のみを示す斜視図である。
【図４０】本発明の実施の他の形態の魚礁７６の斜視図である。
【図４１】図４０に示される魚礁７６の支持体７７のみを示す斜視図である。
【図４２】図２５の魚礁７１の使用状態を示す断面図である。
【図４３】本件発明者の実験結果を示す図である。
【図４４】本件発明者の実験による魚礁１１の支持部材１５の生物親和性に関する実験結果を示す図である。
【図４５】本件発明者の実験結果による図１〜図２４の魚礁１１における支持部材１５の相互の間隔による交換速度を示す図である。
【図４６】図４５の実験装置を示す図である。
【符号の説明】
１１，７１〜７４，７６  魚礁
１２ａ〜１２ｄ，１２ｅ〜１２ｈ  ユニット
１３  連結部材
１４ａ１，１４ａ２〜１４ｄ１，１４ｄ２：１４ｅ１〜１４ｅ４；〜；１４ｈ１〜１４ｈ４  支持体
１５ａ〜１５ｈ  支持部材
１６ａ１，１６ａ２〜１６ｄ１，１６ｄ２；１６ｅ１，１６ｅ２〜１６ｈ１，１６ｈ２  連結部
１７ａ１１，１７ａ１２〜１７ｄ１１，１７ｄ１２；１７ｅ１１，１７ｅ１２〜１７ｈ１１，１７ｈ１２  脚部
１７ｅ１３〜１７ｈ１３  中間脚部
２５  外側面
２６  端面
２７  内側面
３１  内傾斜面
３４  対向面
３５  下傾斜面
３６  補強部
４３  第１ナット
４４  第３ナット
４５  第４ナット
５１，５７  フランジ部材
５４  連結用ボルト
５８  吊り具
６１  ねじ棒
６２  第２ナット
６４  ボルト挿通孔
６６  支持部材固定用ボルト
【図１】
2004337024.tif 000005
【図２】
2004337024.tif 000006
【図３】
2004337024.tif 000007
【図４】
2004337024.tif 000008
【図５】
2004337024.tif 000009
【図６】
2004337024.tif 000010
【図７】
2004337024.tif 000011
【図８】
2004337024.tif 000012
【図９】
2004337024.tif 000013
【図１０】
2004337024.tif 000014
【図１１】
2004337024.tif 000015
【図１２】
2004337024.tif 000016
【図１３】
2004337024.tif 000017
【図１４】
2004337024.tif 000018
【図１５】
2004337024.tif 000019
【図１６】
2004337024.tif 000020
【図１７】
2004337024.tif 000021
【図１８】
2004337024.tif 000022
【図１９】
2004337024.tif 000023
【図２０】
2004337024.tif 000024
【図２１】
2004337024.tif 000025
【図２２】
2004337024.tif 000026
【図２３】
2004337024.tif 000027
【図２４】
2004337024.tif 000028
【図２５】
2004337024.tif 000029
【図２６】
2004337024.tif 000030
【図２７】
2004337024.tif 000031
【図２８】
2004337024.tif 000032
【図２９】
2004337024.tif 000033
【図３０】
2004337024.tif 000034
【図３１】
2004337024.tif 000035
【図３２】
2004337024.tif 000036
【図３３】
2004337024.tif 000037
【図３４】
2004337024.tif 000038
【図３５】
2004337024.tif 000039
【図３６】
2004337024.tif 000040
【図３７】
2004337024.tif 000041
【図３８】
2004337024.tif 000042
【図３９】
2004337024.tif 000043
【図４０】
2004337024.tif 000044
【図４１】
2004337024.tif 000045
【図４２】
2004337024.tif 000046
【図４３】
2004337024.tif 000047
【図４４】
2004337024.tif 000048
【図４５】
2004337024.tif 000049
【図４６】
2004337024.tif 000050